【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
媒体と電子機器とを備える表示システムであって、
前記媒体においては、
前記媒体の第１面から当該第１面の裏面である第２面への貫通穴が形成され、
前記第１面には、第１情報が表示され、
前記第２面には、前記第１情報に関連する第２情報が表示されており、
前記電子機器は、
前記第２面と前記電子機器の表示面とが対向した状態で、前記第２面をスキャンするスキャン手段と、
前記スキャンにより得られたスキャンデータに基づいて、前記表示面における前記貫通穴に対応する対応領域を特定する特定手段と、
前記スキャンデータから、前記第２情報に対応するデータを抽出する抽出手段と、
前記抽出されたデータに基づいた情報を、前記特定された対応領域に表示させる表示制御手段とを含む、表示システム。
【請求項２】
前記電子機器は、
少なくとも、前記抽出されたデータに関連する情報を記憶している第１記憶装置と、
前記第１記憶装置から前記抽出されたデータに関連する情報を取得する取得手段とをさらに含み、
前記表示制御手段は、前記抽出されたデータに基づいた情報として前記取得された情報を、前記特定された対応領域に表示させる、請求項１に記載の表示システム。
【請求項３】
前記表示システムは、少なくとも、前記抽出されたデータに関連する情報を記憶しているサーバ装置をさらに備え、
前記電子機器は、
ネットワークを介して前記サーバ装置から、前記抽出されたデータに関連する情報を取得する取得手段をさらに含み、
前記表示制御手段は、前記抽出されたデータに基づいた情報として前記取得された情報を、前記特定された対応領域に表示させる、請求項１に記載の表示システム。
【請求項４】
前記媒体には、前記貫通穴が複数形成され、
前記抽出されたデータは、少なくとも前記貫通穴と同数の要素データを含み、
前記特定手段は、前記スキャンデータに基づいて、前記複数の貫通穴の各々に対応する対応領域を特定し、
前記表示制御手段は、前記要素データに基づく情報を、前記複数の対応領域のうち当該要素データに対応した対応領域に、前記要素データ毎に表示させる、請求項１から３のいずれか１項に記載の表示システム。
【請求項５】
各要素データは、要素データ毎に異なる第１識別子を有し、
前記電子機器は、
各対応領域の位置関係に基づき、互いに異なる第２識別子を、各対応領域の位置を示す位置情報に対応付ける対応付手段と、
前記第１識別子と前記第２識別子との対応関係を示した対応情報を記憶している第２記憶装置とをさらに含み、
前記表示制御手段は、前記各要素データに含まれる第１識別子と前記対応付けされた第２識別子と前記対応情報とに基づき、前記要素データに基づく情報を、前記複数の対応領域のうち当該要素データに対応した対応領域に、前記要素データ毎に表示させる、請求項４に記載の表示システム。
【請求項６】
前記要素データに対応した対応領域は、当該要素データに含まれる第１識別子との間で対応関係にある第２識別子が対応付けされた前記位置情報で示される領域である、請求項５に記載の表示システム。
【請求項７】
前記第１情報は、少なくとも複数の異なる名詞を有し、
各貫通穴の周辺には、貫通穴毎に異なる名詞が表示されている、請求項４から６のいずれか１項に記載の表示システム。
【請求項８】
前記媒体は紙媒体である、請求項１から７のいずれか１項に記載の表示システム。
【請求項９】
シート状の媒体と電子機器とを備える表示システムであって、
前記媒体においては、
前記媒体の一部が透明部材により形成され、
前記透明部材の第１面と当該第１面の裏面である第２面とが外部に露出し、
前記媒体における前記第１面側の面には、前記透明部材の領域とは異なる第１領域に第１情報が表示され、
前記媒体における前記第２面側の面には、前記透明部材の領域とは異なる第２領域に前記第１情報に関連する第２情報が表示されており、
前記電子機器は、
前記第２面側の面と前記電子機器の表示面とが対向した状態で、前記第２面をスキャンするスキャン手段と、
前記スキャンにより得られたスキャンデータに基づいて、前記表示面における、前記透明部材の領域に対応する対応領域を特定する特定手段とを備え、
前記スキャンデータから、前記第２情報に対応するデータを抽出する抽出手段と、
前記抽出されたデータに基づいた情報を、前記特定された対応領域に表示させる表示制御手段とを含む、表示システム。
【請求項１０】
前記スキャン手段は、複数の光センサを前記表示面に沿って内蔵した表示パネルである、請求項１から９のいずれか１項に記載の表示システム。
【請求項１１】
媒体をスキャンする電子機器であって、
前記媒体には、第１情報が表示されている第１面から当該第１面の裏面である第２面への貫通穴が形成されており、
前記第１面と前記電子機器の表示面とが対向した状態で、前記第１面をスキャンするスキャン手段と、
前記スキャンにより得られたスキャンデータに基づいて、前記表示面における前記貫通穴に対応する対応領域を特定する特定手段と、
前記スキャンデータから、前記第１情報に対応するデータを抽出する抽出手段と、
前記抽出されたデータに基づいた情報を、前記特定された対応領域に表示させる表示制御手段とを備える、電子機器。
【請求項１２】
少なくとも、前記抽出されたデータに関連する情報を記憶している記憶装置と、
前記記憶装置から、前記抽出されたデータに関連する情報を取得する取得手段とをさらに備え、
前記表示制御手段は、前記抽出されたデータに基づいた情報として前記取得された情報を、前記特定された対応領域に表示させる、請求項１１に記載の電子機器。
【請求項１３】
少なくとも前記抽出されたデータに関連する情報を記憶しているサーバ装置から、ネットワークを介して前記抽出されたデータに関連する情報を取得する取得手段をさらに備え、
前記表示制御手段は、前記抽出されたデータに基づいた情報として前記取得した情報を、前記特定された対応領域に表示させる、請求項１１に記載の電子機器。
【請求項１４】
前記スキャン手段は、複数の光センサを前記表示面に沿って内蔵した表示パネルである、請求項１１から１３のいずれか１項に記載の電子機器。
【請求項１５】
電子機器の表示パネルを介してスキャンされる媒体であって、
前記媒体の第１面から当該第１面の裏面である第２面への貫通穴が形成され、
前記第１面には、第１情報が表示され、
前記第２面には、前記スキャンの対象となる、前記第１情報に関連する第２情報が表示されている、媒体。
【請求項１６】
前記媒体は紙媒体である、請求項１５に記載の媒体。
【請求項１７】
媒体をスキャンする電子機器における表示制御方法であって、
前記媒体には、情報が表示されている第１面から当該第１面の裏面である第２面への貫通穴が形成されており、
前記表示制御方法は、
前記第１面と前記電子機器の表示面とが対向した状態で、前記第１面をスキャンするステップと、
前記スキャンにより得られたスキャンデータに基づいて、前記表示面における前記貫通穴に対応する対応領域を特定するステップと、
前記スキャンデータから、前記情報に対応するデータを抽出するステップと、
前記抽出されたデータに基づいた情報を、前記特定された対応領域に表示させるステップとを備える、表示制御方法。
【請求項１８】
複数の光センサを前記表示面に沿って内蔵した表示パネルを用いて、前記第１面をスキャンする、請求項１７に記載の表示制御方法。
【請求項１９】
媒体をスキャンする電子機器における表示制御を前記電子機器に実行させるためのプログラムであって、
前記媒体には、情報が表示されている第１面から当該第１面の裏面である第２面への貫通穴が形成されており、
前記プログラムは、
前記第１面と前記電子機器の表示面とが対向した状態で、前記第１面をスキャンするステップと、
前記スキャンにより得られたスキャンデータに基づいて、前記表示面における前記貫通穴に対応する対応領域を特定するステップと、
前記スキャンデータから、前記情報に対応するデータを抽出するステップと、
前記抽出されたデータに基づいた情報を、前記特定された対応領域に表示させるステップとを前記電子機器に実行させるためのプログラム。
【請求項２０】
複数の光センサを前記表示面に沿って内蔵した表示パネルを用いて、前記第１面をスキャンする、請求項１９に記載のプログラム。